(57)【要約】【課題】エレベータの乗りかご内に閉じ込められた乗客が自ら乗りかご内から容易に脱出することを可能にするエレベータ乗りかご手摺装置を提供する。【解決手段】本実施形態にかかるエレベータ乗りかご手摺装置によれば、長手方向に所定の間隔をおいて複数の係合口が設けられた手摺本体と、この手摺本体の外周面から外側へ突出するように複数設けられる円柱形の手摺側枝部と、この手摺側枝部が嵌挿される、前記手摺側枝部に対向して乗りかご室側壁に回動自在に取り付けられる側壁側枝部と、前記手摺本体の内部に収納される、前記係合口に嵌挿できる形状の踏み段部とを備えることを特徴とする。【選択図】図２
2012218838.tif 000002
【特許請求の範囲】
【請求項１】
長手方向に所定の間隔をおいて複数の係合口が設けられた手摺本体と、
この手摺本体の外周面から外側へ突出するように複数設けられる円柱形の手摺側枝部と、
この手摺側枝部が嵌挿される、前記手摺側枝部に対向して乗りかご室側壁に回動自在に取り付けられる側壁側枝部と、
前記手摺本体の内部に収納される、前記係合口に嵌挿できる形状の踏み段部と
を備えることを特徴とするエレベータ乗りかご手摺装置。
【請求項２】
前記手摺側枝部の外周面に突起を有し、前記突起に係合するように前記側壁側枝部の内周面に略Ｌ字状の溝部を有することを特徴とする請求項１に記載のエレベータ乗りかご手摺装置。
【請求項３】
前記手摺本体の内部に、前記手摺本体の長手方向にスライド可能な延長用円筒が内蔵されていることを特徴とする請求項１又は請求項２に記載のエレベータ乗りかご手摺装置。
【請求項４】
昇降路と、
この昇降路内を昇降する乗りかご室と、
この乗りかご室の側壁に回動自在に、内側に突出して取り付けられる円筒形の側壁側枝部と、
この側壁側枝部に嵌挿する円柱形の手摺側枝部と、
前記手摺側枝部に取り付けられる、長手方向に所定の間隔をおいて複数の係合口が設けられた手摺本体と、
この手摺本体の内部に収納される、前記係合口に嵌挿できる形状の踏み段部と
を備えることを特徴とするエレベータ装置。
【請求項５】
前記手摺側枝部の外周面に突起を有し、前記突起に係合するように前記側壁側枝部の内周面に略Ｌ字状の溝部を有することを特徴とする請求項４に記載のエレベータ装置。
【請求項６】
前記手摺本体の内部に、前記手摺本体の長手方向にスライド可能な延長用円筒が内蔵されていることを特徴とする請求項４又は請求項５に記載のエレベータ装置。
【発明の詳細な説明】
【技術分野】
【０００１】
本発明は、災害等の非常時に乗客が容易に救出口を通って乗りかご室外へ脱出できるエレベータ乗りかご手摺装置に関する。
【背景技術】
【０００２】
従来のエレベータ装置では、乗りかご室天井に救出口を開閉する救出口扉が設けられており、この救出口扉の上面には折りたたみ梯子が配置されている。また、乗りかご室天井の上面には、折りたたみ梯子を上方から覆う梯子収納蓋が取り付けられている。この折りたたみ梯子は、乗りかごの上からの操作により、救出口から乗りかご室内へ垂下するようになっている。
【発明の概要】
【発明が解決しようとする課題】
【０００３】
従来、火災・地震等の災害が発生し、エレベータが動作しなくなった場合、乗りかごを手巻き等により最寄階へ着床させ、ドアから救出する方法が一般的であるが、このような救出方法が取れない場合には、上記した救出口から乗客を避難させる方法が取られる。しかしながら、上記した折りたたみ梯子では、乗りかごの上からの操作が必要であり、乗りかご内にいる乗客が自ら操作することは難しい。
【０００４】
本発明は、上記問題に鑑み、乗客が自力で乗りかご内から脱出することを可能とするエレベータ乗りかご手摺装置を提供することを目的とする。
【課題を解決するための手段】
【０００５】
本実施形態にかかるエレベータ乗りかご手摺装置は、長手方向に所定の間隔をおいて複数の係合口が設けられた手摺本体と、この手摺本体の外周面から外側へ突出するように複数設けられる円柱形の手摺側枝部と、この手摺側枝部が嵌挿される、前記手摺側枝部に対向して乗りかご室側壁に回動自在に取り付けられる側壁側枝部と、前記手摺本体の内部に収納される、前記係合口に嵌挿できる形状の踏み段部とを備えることを特徴とする。
【０００６】
また、本実施形態のエレベータ手摺装置は、前記手摺側枝部の外周面に突起を有し、前記突起に係合するように前記側壁側枝部の内周面に略Ｌ字状の溝部を有することを特徴とする。
【０００７】
また、本実施形態のエレベータ手摺装置は、前記手摺本体の内部に、前記手摺本体の長手方向にスライド可能な延長用円筒が内蔵されていることを特徴とする。
【発明の効果】
【０００８】
本発明のエレベータ乗りかご手摺装置によれば、乗りかご内に閉じ込められた乗客が自ら乗りかご内から容易に脱出することが可能になる。
【図面の簡単な説明】
【０００９】
【図１】本実施形態のエレベータ装置の全体を示す概略構成図である。
【図２】図１における乗りかご１５内部の奥側から見た正面図である。
【図３】図２における枝部６２a（６２b）を示す分解斜視図である。
【図４】図２における枝部６２a（６２b）を示す側面図である。
【図５】手摺本体６２aの係合口と穴塞ぎシールを示した図である。
【図６】手摺本体６２aの端部を示した側面図である。図６（a）は、踏み段部６３の端部を示す部分斜視図を示し、図６（b）は、踏み段部６３が手摺本体６１aに収納された状態を示す手摺本体６２aの端部斜視図を示し、図６（ｃ）は、手摺本体６１aの末端部分を示した側面図であり、図６（ｄ）は、手摺本体６１aの末端に取り付けられるキャップ６４aの側面図を示している。
【図７】第一の実施形態の手摺本体６１aと踏み段部６３の連結の仕方を示した図である。
【図８】手摺本体６１a及び６１bと踏み段部６３を連結した状態を示した部分拡大図である。
【図９】第一の実施形態の梯子組み立てのフローチャートを示す図である。
【図１０】本実施形態の梯子を設置した構成図である。
【図１１】図１１（a）は、第二の実施形態の手摺本体７１aの端部を示した斜視図であり、１１（b）は、図１１（a）における側面図である。
【図１２】図１２（a）は、ゴム製キャップの断面図を示し、図１２（b）は、延長用円筒の形状を示した図である。踏み段部の収納状態を示した図である。
【図１３】図１３（a）は、手摺本体７１aと踏み段部６３の連結の仕方を示した図であり、図１３（b）は、手摺本体７１aと踏み段部６３を連結した状態を示した部分拡大図である。
【図１４】第三の実施形態の手摺本体８１aと踏み段部９１aの関係を示す斜視図である。
【図１５】手摺本体８２aの端部を示した斜視図である。
【図１６】第三の実施形態の手摺本体８１aと踏み段部８１の連結の仕方を示した図である。
【発明を実施するための形態】
【００１０】
以下、本発明の実施形態のエレベータ装置について、図面を参照して詳細に説明する。
【００１１】
（第一の実施形態）
図１に示すように、本実施形態にかかるエレベータ装置１０は、昇降路１１上部の機械室１２に巻上機（図示せず）が設置されており、この巻上機のメインシーブ１３に吊り下げられたメインロープ１４の一端には乗りかご１５が懸架され、他端にはつり合いおもり１６が懸架されている。乗りかご１５及びつり合いおもり１６の下側には、乗りかご１５の位置によるメインロープ１４の質量の変化を打ち消すためのコンペンロープ（又はコンペンチェーン）１７が取付けられている。また、信号のやりとりや給電のために、テールコード１８が制御盤から昇降路１１側の吊り部を介して乗りかご１５へＵ字状に吊り下げられ接続されている。
【００１２】
図２は、本実施形態のエレベータ装置１０の乗りかご１５内部の奥側から見た正面図である。
【００１３】
図２に示すように、本実施形態のエレベータの乗りかご１５は、上部に乗りかご天井１が設けられており、乗りかご天井１の中央には救出口２が設けられている。救出口２には、救出口２を開閉するための救出口扉３が回動自在に取り付けられている。一方、乗りかご１５の下部には、乗りかご床４が設けられている。乗りかご１５側面には、側壁５a、及び５bが設けられ、側壁５a、５bには、それぞれ手摺６a、６bが乗りかご１５の奥行き方向に沿って取り付けられている。
【００１４】
手摺６aは、横断面が略円形状の手摺本体６１aと手摺本体６１aの長手方向に一定間隔に設けられている枝部６２aとからなり、手摺本体６１aは、枝部６２aを介して側壁５aに取り付けられている。手摺６bは、手摺６aが取り付けられた側壁５aに対向する側壁５bに手摺６aと同様に取り付けられている。なお、枝部６２aは、側壁５aに対して垂直に突出しているのが好ましいが、これに限定されない。また、図２において、枝部６a、６bの本数が２本の場合を示しているが、本数は特に限定されない。
【００１５】
図３は、図１における枝部６２aの分解斜視図であり、図４は、枝部６２aの側面図を示す。なお、枝部６２bについては、枝部６２aと同じ構成であるため説明を割愛する。
【００１６】
図３及び図４に示すように、枝部６２aは、側壁５aに回動自在に取り付けられる側壁側枝部６２１aと、手摺本体６１aに取り付けられる手摺本体側枝部６２２aから構成される。側壁側枝部６２１aは円筒形状であり、その内周面６２３aには略L字に加工された溝部６２４aを有している。一方、手摺本体側枝部６２２aは側壁側枝部６２１aに嵌入可能な径を有する円柱形状であり、その外周面には突起６２５aが設けられている。なお、側壁側枝部６２１aは手摺本体側枝部６２２aと嵌合可能であればよく、側壁側枝部６２１aの外周は多角形状であってもかまわない。
【００１７】
通常のエレベータ運転時、即ち、手摺として利用する場合（以下、単に「通常時」とも言う。）には、複数ある手摺本体側枝部６２２aをそれぞれ対向する側壁側枝部６２１aに篏入させ、その後、側壁側枝部６２２aを回転させて溝部６２４aに突起６２５aを係合させる（図３；矢印M 、及び図４）。一方、非常時、即ち、梯子として使用する場合（以下、単に「非常時」とも言う。）には、側壁側枝部６２２aを上記とは逆に回転させることにより係合を解除する事ができ（図３；矢印N）、手摺本体６１aを側壁５aから取り外すことができる。
【００１８】
図５は、手摺本体６１aの一部分を示している。手摺本体６１aは、両端部が開口した円筒であり、その外周面には踏み段部６３をはめ込む為の係合口６１１aが長手方向に一定間隔で設けられている。
【００１９】
係合口６１１aは、上述したように踏み段部６３が嵌まり込めるよう、踏み段部６３の横断面に対応した形状となっている。係合口６１１aは、通常時、穴塞ぎシール６１２aで塞がれている。穴塞ぎシール６１２aで塞がれた係合口６１１aは、意匠の観点から、通常時は目立たなくすることが好ましい。従って、手摺本体６１aは、穴塞ぎシール６１２aで塞がれた係合口６１１aが下側或いは、側壁５a側を向いて枝部６２aに固定されているのが好ましい。
【００２０】
図６は、手摺本体６１aの端部を示した図である。図６（a）に示すように、踏み段部６３は、横断面長方形状の、手摺本体６１aの係合口６１１aに挿入できる大きさであり、通常時、手摺本体６１aの内部に収納されている（図６（b））。踏み段部６３の内部は軽量化の観点から中空であることが好ましい。踏み段部６３の本数は、係合口６１１aの数と同数であり、手摺本体６２aと手摺本体６１aと同様の構成である手摺本体６１bに振り分けて収納されている。
【００２１】
手摺本体６１aの端部の内周面には、図６（b）及び（c）に示すように、ネジ山６１３aが形成されており、これに対応するねじ山６４１aを有するゴム製のキャップ６４aを取り付けることで端部を閉塞している。キャップ６４aは、非常時において、梯子の滑り止めの機能を果たす。
【００２２】
非常時には、側壁５aから手摺本体６１aを取り外し、手摺本体６１aから踏み段部６３を取り出した後、図７に示すように、踏み段部６３の一端を手摺本体６１aの係合口６１１aに嵌めこむ（図７；矢印P）。踏み段部６３の他端は、手摺本体６１bの係合口６１１bに嵌めこみ、梯子の踏み段が完成する（図８）。
【００２３】
図９に、本実施形態の乗りかご手摺装置の梯子組み立てのフローチャートを示す。梯子を組み立てる場合、先ず、側壁枝部６１a及び６１bを回転させ、手摺本体６１aを側壁５aから取り外す（Ｓ１）。次に、手摺本体６１a及び６１bの端部に取り付けられているキャップ６４a及び６４bを取り外し、手摺本体６１a及び６１b内部に収納されている踏み段部６３を取り出す（Ｓ２、Ｓ３）。そして、踏み段部６３を取り出した後は梯子の滑り止めのため、キャップ６４a及び６４bをそれぞれ手摺本体６１a及び６１bの端部に再度取り付ける（Ｓ４）。最後に、手摺本体６１a及び６１bの係合口６１１a及び係合口６１１bの穴塞ぎシール６１２a及び６１２bを剥がし、取り出した踏み段部６３を手摺本体６１a及び６１bの係合口６１１a及び６１１bにはめこむことで梯子が完成する（Ｓ５）。
【００２４】
このようにして組み立てられた梯子１００により、乗りかご内の乗客は乗りかご１５の天井に設置されている救出ロ２から脱出可能となる（図１０）。
【００２５】
（第二の実施形態）
手摺本体の長さは、手摺本体が取り付けられる壁の幅に依存するため、乗りかごの大きさ、例えば、乗りかごの側壁や背面壁の幅が乗りかごの高さより小さい場合等、によっては、上述した梯子では天井口まで届かない場合もある。そこで、第二の実施形態のエレベータ乗りかご手摺装置として、第一の実施形態における手摺本体を伸長できる構成としたものである。以下、第二の実施形態のエレベータ乗りかご手摺装置について、図１１から図１３を用いて詳細に説明する。なお、上述した第一の実施形態にかかる乗りかご手摺装置と異なる部分を中心に説明する。
【００２６】
図１１（a）は、第二の実施形態のエレベータ乗りかご手摺装置にかかる手摺本体７１aの端部のキャップ７４aを外した状態を示す斜視図であり、図１２（b）は、図１２（a）における手摺本体７１a端部にキャップ７４aを取り付けた状態を示す側面図である。また、図１３（a）は、図１２におけるキャップ７３aの断面図を示し、図１３（b）は、延長用円筒７５aの側面図を示している。
【００２７】
第二の実施形態の乗りかご手摺装置は、図１１（a）及び（ｂ）に示すように、手摺本体７１aの内部に、踏み段部６３の他に手摺本体７１aを伸長するための延長用円筒７５aが収納される構成となっている。
【００２８】
キャップ７４aは、図１２（a）に示すように、第一の実施形態のキャップ６４aと同様に、ネジ山７４１aを有している。ネジ山７４１aには延長用円筒７５aの段部７５２aの径と同じ径の溝７４２aを有しており、通常時、手摺本体７１a端部が閉塞される状態では、段部７５２aは、溝部７４２aに嵌めこまれた状態となっている。
【００２９】
延長用円筒７５aは、図１２（ｂ）に示すように、手摺本体７１aの内径よりも小さい径の円筒であり、その外周面には、手摺本体７１aと同様の大きさの四角く切り取られた係合口７５１aが設けられている。また、手摺本体７１aから容易に引き伸ばすことができるよう延長用円筒７５aの一端は一段下がった径の段部７５２aを有している。延長円筒７５aは、手摺本体７１a内部に手摺本体７１aの長手方向にスライド可能に収納されている。
【００３０】
図１３は、第二の実施形態の乗りかご手摺装置における手摺本体７１aと延長用円筒７５aに踏み段部６３をはめ込む動作を示す図である。
【００３１】
先ず、手摺本体７１aから踏み段部６３を取り出した後、図１３（a）に示すように、手摺本体７１aから延長用円筒７５aを引き伸ばし、手摺本体７１aの係合口７１１aと延長用円筒７５aの係合口７５１aを合わせる（矢印R）。次に、そこへ踏み段部６３の一端を嵌めこむことで（矢印S）、延長用円筒７５aが固定される。踏み段部６３の他端も、手摺本体７１aと同様の手順で手摺本体７１bに嵌めこみ、梯子の踏み段が完成する（図１３（b））。このように、延長用円筒７５aによって、手摺本体７１aの長さ、即ち、梯子の長さを伸長させることができる。
【００３２】
また、他の実施形態として、延長用円筒７５aに設けられた係合口７５１aを一定間隔に複数設けることで、引き伸ばす延長用円筒７５aの長さを一定間隔ごとに調節することができる。
【００３３】
（第三の実施形態）
第三の実施形態の乗りかご手摺装置は、手摺本体に踏み段部が予め取り付けられた構成としたものである。以下、第三の実施形態の乗りかご手摺装置について、図１４から図１６を用いて詳細に説明する。なお、上述した第一の実施形態の乗りかご手摺装置と共通する部分については説明を割愛する。
【００３４】
図１４は、第三の実施形態の手摺本体８１aと踏み段部９１aの分解斜視図であり、図１５は、第三の実施形態の手摺本体８１aの端部のキャップ６３aを外した状態を示す斜視図である。
【００３５】
図１４に示すように、第三の実施形態のかご手摺装置は、手摺本体８１aに踏み段部９１aが取り付けられた構成となっている。
【００３６】
手摺本体８１aは、長手方向に沿って踏み段部９１aを収納するための収納部８１１aが複数設けられている。収納部８１１aは、その一端に、梯子組み立ての際に、踏み段部９１aの切欠き部９１２a側端部を嵌め込むための溝部８１２aを有した断面略Ｌ字状となっている。
【００３７】
踏み段部９１aは、手摺本体８１aの収納部８１１aに嵌まり込む形状となっている。踏み段部９１aの一端は、踏み段部９１aを引き出すための切欠き部８１２aを有しており、一方、他端は、収納部８１１aにネジ等の支持部材９２により、その支持される軸線（二点鎖線Ｂ）を中心に回動自在に取り付けられている。
【００３８】
手摺本体８１aの収納部８１１aは、意匠の観点から、通常時は目立たなくすることが好ましい。従って、手摺本体８１aは、収納部８１１aが下側或いは、側壁５a側を向いて枝部６２aに固定されているのが好ましい。
【００３９】
手摺本体８１aの端部の内周面には、第一の実施形態の手摺本体６１aと同様に、ネジ山８１３aが形成されている。手摺本体８１aの端部に取り付けるキャップは、上述した第一の実施形態のキャップ６３aを用いることができる。
【００４０】
図１６は、第三の実施形態のかご手摺装置における踏み段部９１aの動作を示す図であり、図１５における二点鎖線Ａ−Ａ’に沿った断面図を示している。
【００４１】
先ず、第一の実施形態の乗りかご手摺装置と同様に、手摺本体８１aを側壁５aから取り外した後、図１６（a）に示すように、踏み段部９１aの切欠き部９１１aを指をひっかけ、踏み段部９１aを手摺本体８１aから引き出すことで、踏み段部９１aは、支持部ｘｘを軸に引き出される（矢印T１）。同様に、手摺本体８１bの踏み段部９１bを引き出す（矢印T２）。引き出された踏み段部９１aは、収納部８１１bの溝部８１２bへ、踏み段部９１bは、収納部８１１aの溝部８１２aへ、それぞれ嵌めこむことで、梯子の踏み段が完成する（図１６（b））。
【符号の説明】
【００４２】
１…  乗りかご室天井
２…  救出口
３…  救出口扉
４…  乗りかご床
５…  側壁
６…  手摺
１０…  エレベータ装置
１１…  昇降路
１２…  機械室
１３…  メインシーブ
１４…  メインロープ
１５…  乗りかご室
１６…  釣り合いおもり
１７…  コンペンロープ
１８…  テールコード
６１…  手摺本体
６２…  枝部
６３…  踏み段部
６２１…  側壁側枝部
６２２…  手摺本体側枝部
【図１】
2012218838.tif 000003
【図２】
2012218838.tif 000004
【図３】
2012218838.tif 000005
【図４】
2012218838.tif 000006
【図５】
2012218838.tif 000007
【図６】
2012218838.tif 000008
【図７】
2012218838.tif 000009
【図８】
2012218838.tif 000010
【図９】
2012218838.tif 000011
【図１０】
2012218838.tif 000012
【図１１】
2012218838.tif 000013
【図１２】
2012218838.tif 000014
【図１３】
2012218838.tif 000015
【図１４】
2012218838.tif 000016
【図１５】
2012218838.tif 000017
【図１６】
2012218838.tif 000018